(57)【要約】【課題】印刷する原稿画像の倍率を視覚的に設定でき、所望の大きさの原稿画像を容易に得られる印刷手段を提供する。【解決手段】ＭＦＰ１は、原稿画像を読み取る原稿画像取得手段５５と、読み取った原稿画像を所定の倍率で変倍する原稿画像変倍手段７０と、印刷する用紙の大きさを選択する用紙選択手段５８と、選択された用紙の大きさを示す用紙画像を生成する用紙画像生成手段８０と、原稿画像変倍手段７０で変倍される原稿画像の大きさが用紙画像の大きさを超えない範囲であって、少なくとも１つの第１の倍率で変倍した原稿画像を用紙画像に重畳して合成画像を生成する表示画像合成手段７５と、合成画像を表示する画像表示手段９５と、表示した合成画像における原稿画像の大きさに基づき第２の倍率を決定する画像倍率決定手段８５と、決定した第２の倍率で変倍した原稿画像を印刷する印刷手段９０と、を備える。【選択図】図２
2010088009.tif 000002
【特許請求の範囲】
【請求項１】
原稿画像を読み取る読み取り手段と、
読み取った前記原稿画像を所定の倍率で変倍する変倍手段と、
印刷する用紙の大きさを選択する選択手段と、
前記選択された用紙の大きさを示す用紙画像を生成する用紙画像生成手段と、
前記変倍手段で変倍される前記原稿画像の大きさが前記用紙画像の大きさを超えない範囲であって、少なくとも１つの第１の倍率で変倍した前記原稿画像を前記用紙画像に重畳して合成画像を生成する合成画像生成手段と、
前記合成画像を表示する表示手段と、
表示した前記合成画像における前記原稿画像の大きさに基づき第２の倍率を決定する決定手段と、
決定した前記第２の倍率で変倍した前記原稿画像を印刷する印刷手段と、を備えることを特徴とする印刷装置。
【請求項２】
請求項１に記載の印刷装置において、
前記合成画像生成手段は、複数の前記第１の倍率でそれぞれ変倍した前記原稿画像を前記用紙画像上にそれぞれを識別可能に重畳して合成画像を生成することを特徴とする印刷装置。
【請求項３】
請求項１乃至２のいずれかに記載の印刷装置において、
前記決定手段は、前記変倍手段で変倍する前記原稿画像の大きさが前記用紙画像の大きさを超えない範囲で前記第２の倍率を決定することを特徴とする印刷装置。
【請求項４】
請求項１乃至３のいずれか１項に記載の印刷装置において、
前記表示手段は、画像を表示する表示領域が押下されたことを検出する検出手段を備え、
前記検出手段が表示した前記合成画像が押下されたことを検出した場合、前記決定手段は、押下された前記表示領域に基づき前記第２の倍率を決定することを特徴とする印刷装置。
【請求項５】
請求項２乃至４のいずれか１項に記載の印刷装置において、
前記決定手段は、前記合成画像に含まれる複数の前記原稿画像の１つが選択されることにより、選択した前記原稿画像に応じた前記第２の倍率を決定し、
前記表示手段は、前記決定した第２の倍率で変倍した前記原稿画像を更に表示することを特徴とする印刷装置。
【請求項６】
請求項１乃至５のいずれか１項に記載の印刷装置において、
前記原稿画像は、低解像度の原稿画像と高解像度の原稿画像とを含み、
前記表示手段は、前記第１の倍率で変倍された前記低解像度の原稿画像と前記用紙画像とが重畳された前記合成画像を表示し、
前記印刷手段は、前記第２の倍率で変倍された前記原稿画像を印刷することを特徴とする印刷装置。
【請求項７】
原稿画像を読み取る工程と、
読み取った前記原稿画像を所定の倍率で変倍する工程と、
印刷する用紙の大きさを選択する工程と、
印刷する用紙の大きさを示す用紙画像を生成する工程と、
変倍される前記原稿画像の大きさが前記用紙画像の大きさを超えない範囲であって、少なくとも１つの第１の倍率で変倍した前記原稿画像を前記用紙画像に重畳して合成画像を生成する工程と、
前記合成画像を表示する工程と、
表示した前記合成画像における前記原稿画像の大きさに基づき第２の倍率を決定する工程と、
決定した前記第２の倍率で変倍した前記原稿画像を印刷する工程と、を備えることを特徴とする印刷方法。
【発明の詳細な説明】
【技術分野】
【０００１】
本発明は、印刷装置および印刷方法に関するものである。
【背景技術】
【０００２】
近年、家庭用途のプリンターとして、スキャナー機能、プリンター機能、複写（コピー）機能、ＦＡＸ機能等の複合機能を有するスキャナー一体型のプリンターが普及している。このようなプリンターは、下記特許文献１に示すように、スキャナー部、プリンター部およびメモリ等を備え、スキャナー部が読み取った原稿の画像データをメモリに記憶し、記憶した画像データを印刷データに変換してプリンター部が印刷用紙に印刷することで、コピー機能が実現される。ユーザーは、このようなプリンターでコピーを行う場合、印刷用紙のサイズを決定して、プリンターに給紙すると共に、原稿をプリンターにセットし、原稿の拡大や縮小を行う場合は、原稿画像の大きさを決める倍率を設定する必要があった。この場合、プリンターに備わる倍率設定のためのユーザーインターフェイス画面を呼び出して、原稿のサイズ（例えば、ハガキサイズ）と印刷用紙のサイズ（例えば、Ａ４サイズ）を把握し、「ハガキ→Ａ４」のボタンを選択したり、倍率を示す数字を入力したりして、原稿画像の倍率を設定した。
【０００３】
【特許文献１】特開２００７−３６８１９号公報
【発明の開示】
【発明が解決しようとする課題】
【０００４】
しかしながら、このようなプリンターの操作に慣れていない高齢者等のユーザーにとって、倍率設定のためのユーザーインターフェイス画面から倍率を用紙サイズや数値で設定することは煩わしく、時間が掛かった。また、倍率を設定しても、印刷用紙に印刷される原稿画像の印刷イメージは、印刷前には表示されないため、印刷イメージを印刷前に視覚的に捉えることはできなかった。従って、所望の印刷イメージが印刷されるまで、倍率の設定と印刷を繰り返すため、時間と印刷用紙を浪費した。
【課題を解決するための手段】
【０００５】
本発明は、上述の課題の少なくとも一部を解決するためになされたものであり、以下の形態または適用例として実現することが可能である。
【０００６】
［適用例１］
本適用例にかかる印刷装置は、原稿画像を読み取る読み取り手段と、読み取った前記原稿画像を所定の倍率で変倍する変倍手段と、印刷する用紙の大きさを選択する選択手段と、前記選択された用紙の大きさを示す用紙画像を生成する用紙画像生成手段と、前記変倍手段で変倍される前記原稿画像の大きさが前記用紙画像の大きさを超えない範囲であって、少なくとも１つの第１の倍率で変倍した前記原稿画像を前記用紙画像に重畳して合成画像を生成する合成画像生成手段と、前記合成画像を表示する表示手段と、表示した前記合成画像における前記原稿画像の大きさに基づき第２の倍率を決定する決定手段と、決定した前記第２の倍率で変倍した前記原稿画像を印刷する印刷手段と、を備えることを特徴とする。
【０００７】
このような構成によれば、印刷装置は、第１の倍率で変倍された原稿画像と用紙画像とを重畳して生成した合成画像を表示手段に表示し、表示した合成画像に基づいて第２の倍率を決定し、決定された第２の倍率で原稿画像を変倍して印刷する。従って、表示手段に表示される合成画像に基づいて、原稿画像の大きさを規定する倍率が決定できるため、倍率を視覚的かつ容易に設定できる。更に、原稿画像を印刷する前に、第１の倍率で変倍された原稿画像と用紙画像とが重畳された合成画像が表示されるため、用紙に印刷される原稿画像を印刷前に視認できることから、所望の大きさの原稿画像が得られるまで印刷を繰り返すことによる時間と用紙の浪費を回避できる。
【０００８】
［適用例２］
上記適用例にかかる印刷装置において、前記合成画像生成手段は、複数の前記第１の倍率でそれぞれ変倍した前記原稿画像を前記用紙画像上にそれぞれを識別可能に重畳して合成画像を生成してもよい。
【０００９】
［適用例３］
上記適用例にかかる印刷装置において、前記決定手段は、前記変倍手段で変倍する前記原稿画像の大きさが前記用紙画像の大きさを超えない範囲で前記第２の倍率を決定しても良い。
【００１０】
［適用例４］
上記適用例にかかる印刷装置において、前記表示手段は、画像を表示する表示領域が押下されたことを検出する検出手段を備え、前記検出手段が表示した前記合成画像が押下されたことを検出した場合、前記決定手段は、押下された前記表示領域に基づき前記第２の倍率を決定することが好ましい。
【００１１】
このような構成によれば、原稿画像を変倍する倍率は、表示された合成画像を押下することで決定できる。
【００１２】
［適用例５］
上記適用例にかかる印刷装置において、前記決定手段は、前記合成画像に含まれる複数の前記原稿画像の１つが選択されることにより、選択した前記原稿画像に応じた前記第２の倍率を決定し、前記表示手段は、前記決定した第２の倍率で変倍した前記原稿画像を更に表示しても良い。
【００１３】
［適用例６］
上記適用例にかかる印刷装置において、前記原稿画像は、低解像度の原稿画像と高解像度の原稿画像とを含み、前記表示手段は、前記第１の倍率で変倍された前記低解像度の原稿画像と前記用紙画像とが重畳された前記合成画像を表示し、前記印刷手段は、前記第２の倍率で変倍された前記原稿画像を印刷しても良い。
【００１４】
［適用例７］
本適用例にかかる印刷方法は、原稿画像を読み取る工程と、読み取った前記原稿画像を所定の倍率で変倍する工程と、印刷する用紙の大きさを選択する工程と、印刷する用紙の大きさを示す用紙画像を生成する工程と、変倍される前記原稿画像の大きさが前記用紙画像の大きさを超えない範囲であって、少なくとも１つの第１の倍率で変倍した前記原稿画像を前記用紙画像に重畳して合成画像を生成する工程と、前記合成画像を表示する工程と、表示した前記合成画像における前記原稿画像の大きさに基づき第２の倍率を決定する工程と、決定した前記第２の倍率で変倍した前記原稿画像を印刷する工程と、を備えることを特徴とする。
【００１５】
このような方法によれば、第１の倍率で変倍された原稿画像と用紙画像とを重畳して生成した合成画像を表示し、表示した合成画像に基づいて第２の倍率を決定し、決定された第２の倍率で原稿画像を変倍して印刷する。従って、表示される合成画像に基づいて、原稿画像の大きさを規定する倍率が決定できるため、倍率を視覚的かつ容易に設定できる。更に、原稿画像を印刷する前に、第１の倍率で変倍された原稿画像と用紙画像とが重畳された合成画像が表示されるため、用紙に印刷される原稿画像を印刷前に視認できることから、所望の大きさの原稿画像が得られるまで印刷を繰り返すことによる時間と用紙の浪費を回避できる。
【発明を実施するための最良の形態】
【００１６】
以下、印刷装置の一形態として、複合機について図面を参照して説明する。
【００１７】
（実施形態）
図１は、本実施形態の複合機の主なハードウェア構成を示すブロック図である。本実施形態の複合機は、原稿を画像として読み取るスキャン機能と、印刷用紙に文書や画像等を印刷する印刷機能と、原稿を読み取った画像を印刷用紙に印刷するコピー機能とを備えた多機能な複合機（Ｍｕｌｔｉｆｕｎｃｔｉｏｎ  Ｐｒｉｎｔｅｒ：以下、ＭＦＰと略す。）である。図中のＭＦＰ１は、所定の読み取り領域に載置された原稿の画像を読み取って画像データとして入力するためのスキャナー部２と、画像データに基づいて画像を用紙等の媒体に印刷するプリンターヘッド５０と、ユーザーが操作するための操作パネル部４と、ＡＳＩＣ４１やプログラムＲＯＭ（Ｒｅａｄ  Ｏｎｌｙ  Ｍｅｍｏｒｙ）４２や第１のＳＤＲＡＭ（ＳｙｎｃｈｒｏｎｏｕｓＤＲＡＭ）４３や第２のＳＤＲＡＭ４４等の電子回路を備える。
ＭＦＰ１は、パーソナルコンピュータ（以下、ＰＣと略す。）や操作パネル部４からの操作指示に基づき、スキャン機能や印刷機能を実行すると共に、操作パネル部４からの操作指示に基づき、スキャナー部２で読み取った画像データを印刷データに変換し、その印刷データに基づく画像をプリンターヘッド５０から用紙に印刷することでコピー機能を実現する。
【００１８】
操作パネル部４には、液晶ディスプレイ１００（図３）が設けられている。本実施形態では、液晶ディスプレイ１００は、表示領域が押下されたことを検出する検出手段を備えたタッチパネル機能を有しており、液晶ディスプレイ１００に表示されたメニューやボタンをユーザーが押下することにより、種々の操作指示が入力される。
例えば、ＭＦＰ１でコピーを行う場合、ユーザーは、液晶ディスプレイ１００に表示されるメニューを選択することにより、以下のような機能を実行させることができる。
・コピー機能の設定（コピー枚数、画像の変倍、画像の濃淡）
・カラーコピーおよびモノクロコピーの実行
・設定した内容のキャンセル
【００１９】
プリンターヘッド５０は、カラー画像の出力が可能な構成であり、例えば、シアン（Ｃ）、マゼンタ（Ｍ）、イエロ（Ｙ）、ブラック（Ｋ）の４色の色インクを、印刷用紙等の媒体上に吐出してドットを形成することによって画像を形成するインクジェット方式を採用している。なお、色インクとして、上記４色に加えて、ライトシアン（薄いシアン、ＬＣ）、ライトマゼンタ（薄いマゼンタ、ＬＭ）、ダークイエロ（暗いイエロ、ＤＹ）等を用いてもよい。尚、印刷方式はインクジェット方式に限定されるものではなく、乾式および湿式の電子写真方式、熱転写方式等であっても良い。
【００２０】
ＭＦＰ１は、内部に全体的な制御を司るメイン基板（図示しない）を備える。このメイン基板には、ＡＳＩＣ（Ａｐｐｌｉｃａｔｉｏｎ  Ｓｐｅｃｉｆｉｃ  ＩＣ）４１、プログラムＲＯＭ４２、第１のＳＤＲＡＭ４３、及び第２のＳＤＲＡＭ４４等が実装されている。
ＡＳＩＣ４１は、ＣＰＵ（Ｃｅｎｔｒａｌ  Ｐｒｏｃｅｓｓｉｎｇ  Ｕｎｉｔ）４５、スキャナー入力回路４６、画像処理回路４７、及びヘッド制御ユニット４９が内蔵されており、それらはＡＳＩＣ４１上の内部バス４１ａに接続されている。また、その内部バス４１ａには、ＡＳＩＣ４１に外付けされるプログラムＲＯＭ４２と第１のＳＤＲＡＭ４３と操作パネル部４とが接続されている。プログラムＲＯＭ４２には、ＣＰＵ４５により実行される制御プログラムなどが記憶されている。第１のＳＤＲＡＭ４３には、制御プログラムを実行して処理する画像データや印刷データなどが一時的に記憶される。
【００２１】
第２のＳＤＲＡＭ４４は、スキャナー入力回路４６と画像処理回路４７に接続されており、各回路４６，４７における処理の前後の画像データや印刷データが一時的に格納される。この第２のＳＤＲＡＭ４４のメモリ領域には、ラインバッファー４４ａ、マイクロウィーブ（Ｍｉｃｒｏ  Ｗｅａｖｅ）バッファー４４ｂ、イメージバッファー４４ｃがそれぞれ割り当てられている。
スキャナー入力回路４６にはスキャナー部２が接続されている。スキャナー部２は、原稿台ガラス（図示しない）に載置された原稿をＣＣＤ（電荷結合素子）２ａが走査して光学的に読み取り、このＣＣＤ２ａに蓄えられた電荷を、Ａ／Ｄ変換回路２ｂによってＡ／Ｄ変換する。そして、スキャナー部２は、Ａ／Ｄ変換されたデータをＡＳＩＣ４１のスキャナー入力回路４６に入力する。
【００２２】
スキャナー入力回路４６は、ＣＰＵ４５の制御の下、スキャナー部２から入力される各ラスタラインデータ（ＲＧＢの多階調画像データ）を第２のＳＤＲＡＭ４４のラインバッファー４４ａに一旦蓄える。そして、スキャナー入力回路４６は、このラインバッファー４４ａに取り込んだＲＧＢデータに対してライン間補正処理を順次施し、同一ラインに対するＲＧＢデータとして画像処理回路４７に送る。なお、ライン間補正処理とは、スキャナー部２の構造上発生するＲ、Ｇ、Ｂの各リニアセンサ間の読み取り位置のズレを補正する処理である。
【００２３】
また、スキャナー入力回路４６は、ライン間補正処理と並行して、ＲＧＢデータの読み取り解像度［ｄｐｉ］を、プリンターヘッド５０で印刷するための印字解像度［ｄｐｉ］に変換する解像度変換処理も行う。つまり、ＲＧＢデータの読み取り解像度が、印字解像度よりも低い場合には、線形補間等を行って隣接するデータ間に新たなデータを生成し、逆に印字解像度よりも高い場合には、一定の割合でデータを間引く等して、ＲＧＢデータの解像度を印字解像度に揃える。尚、これは、原稿の大きさを拡大もしくは縮小してコピーする際にも同様である。
画像処理回路４７は、解像度変換処理が施された画像データを取り込み、色変換、ハーフトーン処理、マイクロウィーブ処理などの画像処理を行う。色変換処理は、ＲＧＢの多階調画像データから、ＣＭＹＫの４色の多階調画像データに変換する処理である。ハーフトーン処理は、多階調データを面積階調データに変換する処理である。マイクロウィーブ処理は、行間の縞（バンディング）を防止すべく、ドットラインの形成方法を調節する処理である。
【００２４】
この画像処理回路４７において、マイクロウィーブ処理が施されたデータはマイクロウィーブバッファー４４ｂに格納される。さらに、画像処理回路４７は、そのバッファー４４ｂに格納したデータを所定のサイズ毎に読み出して、種々の情報（例えば、各色のノズル数や走査回数など）に基づき並び替えた後、イメージバッファー４４ｃに転送する。このデータ転送の結果、イメージバッファー４４ｃには、書込キャリッジ（図示しない）の走査毎の各ノズルにインクを吐出させるためのヘッド駆動データが格納される。
イメージバッファー４４ｃに記憶された走査毎のヘッド駆動データ（印刷データ）はＣＰＵ４５によって読み出され、ヘッド制御ユニット４９に転送される。ヘッド制御ユニット４９は、ＣＰＵ４５の制御によりヘッド駆動データに基づいてプリンターヘッド５０を駆動し、インク滴の吐出の有無や、吐出するインク滴の量を制御する。これによって、スキャナー部２が読み取った画像に対するコピー印刷が実現される。
【００２５】
図２は、ＭＦＰ１のコピー機能を実現する機能構成を示すブロック図である。また、図３は、コピー機能を説明する図である。これらの図面を参照して、ＭＦＰ１のコピー機能について説明する。
図２に示すように、ＭＦＰ１は、原稿画像取得手段５５、用紙選択手段５８、画像処理手段６０、画像倍率決定手段８５、印刷手段９０および画像表示手段９５を備える。また、画像処理手段６０は、原稿情報取得手段６５、原稿画像変倍手段７０、表示画像合成手段７５および用紙画像生成手段８０を備える。
原稿画像取得手段５５は、所定の読み取り領域に載置された原稿Ｓの画像を読み取って原稿画像を取得する読み取り手段である。本実施形態では、原稿画像取得手段５５は、スキャナー部２による光学的な読み取りを想定する。即ち、最初に、スキャナー部２は、原稿台ガラス（図示しない）上の読み取り領域の全域を所定の低解像度でスキャン（予備スキャン）することにより、原稿Ｓの大きさや概イメージ画像（プレビュー画像）等の原稿情報を取得し、取得した原稿情報を画像処理手段６０に送る。次に、スキャナー部２は、予備スキャンで取得した原稿情報に基づき、予め設定された精細な高解像度で原稿の画像をスキャン（本スキャン）することにより、原稿Ｓの画像データを取得し、取得した原稿Ｓの画像データを画像処理手段６０に送る。尚、原稿画像取得手段５５は、リニアセンサの走査による原稿の読み取りに限定されるものではなく、例えば、デジタルカメラのように、２次元のエリアセンサにより原稿Ｓの画像を一括に読み取っても良い。この場合、サムネイル画像用の低解像度な画像データを概イメージ画像として使用できる。
【００２６】
用紙選択手段５８は、ＭＦＰ１で印刷可能な用紙の中から、ユーザーが所望する用紙を選択すると共に、選択された用紙Ｐのサイズ等を含む用紙情報を取得し、取得した用紙情報を画像処理手段６０に送る。本実施形態では、液晶ディスプレイ１００に選択可能な用紙（１２０Ａ〜１２０Ｄ）が大きさを伴って表示され、ユーザーは、これらの用紙（１２０Ａ〜１２０Ｄ）の中から所望の１つを押下することで、印刷される用紙Ｐが選択される。
原稿情報取得手段６５は、原稿画像取得手段５５から送られる原稿情報に基づき、原稿Ｓの大きさを示し、印刷する際の倍率（第２の倍率）である印刷倍率を決定する基準となるフレーム画像１０５Ａを作製する。この際、フレーム画像１０５Ａの中に予備スキャンで得られた原稿Ｓのプレビュー画像を含んでも良い。ここで作製されたフレーム画像１０５Ａのデータは、原稿画像変倍手段７０に送られる。
原稿画像変倍手段７０は、予備スキャンの場合と、本スキャンの場合とでは処理が異なる。最初に、予備スキャンの場合、原稿画像変倍手段７０は、原稿情報取得手段６５から送られるデータが示すフレーム画像１０５Ａを、予め決められた少なくとも１つの表示する際の倍率（第１の倍率）である表示倍率に合わせて変倍する。尚、この倍率は、変倍する原稿画像の大きさが用紙Ｐの大きさを超えない範囲に収まるように決められる。本実施形態では、画像倍率決定手段８５は、予備スキャンの場合、原稿Ｓと略同じ大きさの等倍表示倍率と、拡大されたフレーム画像１０５Ｃの大きさが用紙画像１０８の大きさを越えない最大表示倍率と、最大表示倍率と等倍表示倍率との中間値となる中間表示倍率との３つを決定するように決められている。この結果、それぞれの表示倍率で変倍されたフレーム画像１０５Ｂ，１０５Ｃおよび原稿と等倍のフレーム画像１０５Ａの各データは、表示画像合成手段７５に送られる。尚、合成画像に含まれるフレーム画像数は３つに限定されるものではなく、いくつでも良く、ユーザーにより設定されても良い。
【００２７】
次に、本スキャンの場合、原稿画像変倍手段７０は、原稿画像取得手段５５から送られる本スキャンのデータが示す原稿の画像の大きさを、画像倍率決定手段８５でユーザーにより決定された印刷倍率で変倍し、変倍した原稿の画像のデータを印刷手段９０に送る。この結果、原稿の画像は、決定された印刷倍率に応じて拡大もしくは縮小され、この原稿の画像データは、印刷手段９０に送られて印刷データに変換された後、プリンターヘッド５０から印刷される。
用紙画像生成手段８０は、用紙選択手段５８から送られる用紙情報に基づき、用紙Ｐの大きさを示す用紙画像１０８を作製する。ここで作製された用紙画像１０８のデータは、表示画像合成手段７５に送られる。
【００２８】
表示画像合成手段７５は、用紙画像生成手段８０から送られるデータが示す用紙画像１０８上に、原稿画像変倍手段７０から送られるデータが示す少なくとも１つのフレーム画像１０５Ａ，１０５Ｂ，１０５Ｃを重畳して合成画像を作成する。ここで作製された合成画像のデータは、画像表示手段９５に送られ、表示可能なデータに変換された後、液晶ディスプレイ１００に表示される。
画像倍率決定手段８５は、原稿Ｓの画像の印刷倍率を決定するためのユーザーインターフェイスを有し、予備スキャンが終了すると液晶ディスプレイ１００に表示される。本実施形態では、選択可能なフレーム画像１０５Ａ，１０５Ｂ，１０５Ｃが重畳されて液晶ディスプレイ１００に表示され、ユーザーはフレーム画像１０５Ａ〜１０５Ｃの中から、所望の大きさのフレーム画像の表示領域を押下することで、押下したフレーム画像に基づいて印刷倍率が決定される。本実施形態では、押下されたフレーム画像の表示倍率と略同一であり、合成画像と略同一のイメージで印刷されるように印刷倍率が決定される。
【００２９】
図４は、上述したＭＦＰ１のコピー機能の処理の流れを説明するフローチャートである。最初に、ＭＦＰ１で選択可能な用紙が液晶ディスプレイ１００に表示され、この中から印刷する用紙Ｐがユーザーにより選択される（ステップＳ２００）。次に、原稿ＳがＭＦＰ１の原稿台ガラスにセットされ（ステップＳ２０１）、ユーザーにより、操作パネル部４からコピー開始が指示されることにより、ＭＦＰ１は予備スキャンを実行してフレーム画像１０５Ａを取得する（ステップＳ２０２）。
続いて、ＭＦＰ１は、予備スキャンで得られたフレーム画像１０５Ａを所定の複数の表示倍率で変倍し、印刷用紙Ｐの用紙画像１０８に重畳した合成画像を作成する（ステップＳ２０４）。次に、ＭＦＰ１は、合成画像を液晶ディスプレイ１００に表示する（ステップＳ２０６）。
【００３０】
次に、液晶ディスプレイ１００に表示されたフレーム画像１０５Ａ〜１０５Ｃの１つをユーザーが押下することにより、押下したフレーム画像に応じた原稿画像の印刷倍率が決定される（ステップＳ２０８）。続いて、ＭＦＰ１は、本スキャンを実行して原稿画像を取得し（ステップＳ２１０）、決定された印刷倍率で取得した原稿画像を変倍する（ステップＳ２１２）。尚、本実施形態では、処理の流れの説明を容易にすべく、予備スキャンと本スキャンとを別々に行っているが、２つのスキャンを連続して行い、本スキャンの画像データは、ＳＤＲＡＭ４３，４４に一時的に保持しても良い。
続いて、ＭＦＰ１は、変倍した原稿画像を印刷用紙Ｐの用紙画像１０８に重畳し、合成画像を作成して液晶ディスプレイ１００に表示すると共に、変倍した原稿画像を印刷し、一連の処理を終了する（ステップＳ２１４）。この結果、ユーザーが押下したフレーム画像１０５Ａ〜１０５Ｃに応じた印刷イメージ１１０Ａ〜１１０Ｃは、プリンターヘッド５０により印刷用紙Ｐに印刷される。
【００３１】
このようにして、ユーザーは、スキャナー部２が読み込んだ原稿Ｓの画像を印刷用紙Ｐに印刷する前に、印刷用紙Ｐに印刷される原稿Ｓの画像イメージを視認できる。従って、ユーザーは、印刷用紙Ｐに印刷される原稿Ｓの大きさを容易かつ視覚的に設定できることに加え、所望の印刷結果が得られるまで印刷用紙Ｐを無駄に消費することを回避できる。
【００３２】
本発明の実施形態について、図面を参照して説明したが、具体的な構成は、この実施形態に限られるものではなく、本発明の要旨を逸脱しない範囲の設計変更等も含まれる。例えば、本実施形態では、選択候補となるフレーム画像１０５Ａ，１０５Ｂ，１０５Ｃの表示倍率は、拡大されたフレーム画像が用紙画像１０８を越えない範囲で、離散した複数の表示倍率が決められた。しかしながら、これに限定されるものではなく、液晶ディスプレイ１００には、基準となるフレーム画像１０５Ａのみが用紙画像１０８上に重畳されて表示され、ユーザーは、液晶ディスプレイ１００に表示される拡縮ボタン（図示しない）を押下したり、フレーム画像１０５Ａの端部を指等で指示し、液晶ディスプレイ１００上で指が移動する移動量等に応じて拡大もしくは縮小を指示したりして、用紙画像１０８よりも大きくならない範囲で表示倍率を任意に変更しても良い。
【００３３】
また、本実施形態では、原稿を縦横に変倍する表示倍率は、それぞれ同期していたが、原稿の表示倍率を縦横それぞれに設定すべく同期を解除する機能を設けても良い。
また、スキャナー部２の読み取り領域における長辺方向および短辺方向と、原稿Ｓの長辺方向および短辺方向とが一致しない場合、画像処理手段６０は、読み取った原稿Ｓのフレーム画像１０５Ａ，１０５Ｂ，１０５Ｃを９０度回転させて表示しても良い。
また、選択候補となるフレーム画像１０５Ａ，１０５Ｂ，１０５Ｃを液晶ディスプレイ１００に表示せず、拡大されたフレーム画像が用紙画像１０８を越えない最大の印刷倍率が優先して決定されるようなモード（所謂、おまかせモード）をユーザーが選択できても良い。
【図面の簡単な説明】
【００３４】
【図１】本実施形態に係る複合機のハードウェア構成を示すブロック図。
【図２】本実施形態に係る複合機のコピー機能を実現する機能構成を示すブロック図。
【図３】コピー機能を説明する図。
【図４】本実施形態に係る複合機のコピー機能の処理の流れを説明するフローチャート。
【符号の説明】
【００３５】
１…ＭＦＰ、２…スキャナー部、２ａ…電荷結合素子、２ｂ…Ａ／Ｄ変換回路、４…操作パネル部、４１…ＡＳＩＣ、４１ａ…内部バス、４２…プログラムＲＯＭ、４３…第１のＳＤＲＡＭ、４４…第２のＳＤＲＡＭ、４４ａ…ラインバッファー、４４ｂ…マイクロウィーブバッファー、４４ｃ…イメージバッファー、４５…ＣＰＵ、４６…スキャナー入力回路、４７…画像処理回路、４９…ヘッド制御ユニット、５０…プリンターヘッド、５５…原稿画像取得手段、５８…用紙情報設定手段、６０…画像処理手段、６５…原稿情報取得手段、７０…原稿画像変倍手段、７５…表示画像合成手段、８０…用紙画像生成手段、８５…画像倍率決定手段、９０…印刷手段、９５…画像表示手段、１００…液晶ディスプレイ、１０５Ａ〜１０５Ｃ…フレーム画像、１０８…用紙画像、１１０Ａ〜１１０Ｃ…印刷イメージ、１２０Ａ〜１２０Ｄ…用紙。
【図１】
2010088009.tif 000003
【図２】
2010088009.tif 000004
【図３】
2010088009.tif 000005
【図４】
2010088009.tif 000006